(57)【要約】【課題】ユーザーに手間をかけさせることなく、ユーザーの使用言語による音声出力を可能な警報器（火災警報器）を得る。【解決手段】  監視領域の異常を検出する警報器であって、監視領域の異常を検出する異常検出部と、複数の言語による音声データが記憶され、そのいずれかの言語の音声を出力する音声出力部と、居住者の音声を入力して居住者の使用言語を認識する音声認識部と、前記異常検出手段が監視領域の異常を検出したときに、前記音声認識部が認識した居住者の使用言語の音声データを前記音声出力部に出力させる制御部とを備えた。【選択図】図１
2010231640.tif 000002
【特許請求の範囲】
【請求項１】
監視領域の異常を検出する異常検出部と、
複数の言語による音声データが記憶され、そのいずれかの言語の音声を出力する音声出力部と、
居住者の音声を入力して居住者の使用言語を認識する音声認識部と、
前記異常検出手段が監視領域の異常を検出したときに、前記音声認識部が認識した居住者の使用言語の音声データを前記音声出力部に出力させる制御部と
を備えたことを特徴とする警報器。
【請求項２】
前記音声認識部は、警報器に電源が投入されたときに居住者の使用言語を認識する動作を行う請求項１に記載の警報器。
【請求項３】
前記音声出力部による音声出力を停止する音声停止スイッチを備え、前記音声認識部は前記音声停止スイッチが、所定の操作をされたときに、居住者の使用言語を認識する動作を行う請求項１または２に記載の警報器。
【請求項４】
前記警報器に電源が投入されたときに、または前記音声停止スイッチが前記所定の操作をされたときに、前記音声出力部は、居住者が音声を発生することを促す音声データを出力する請求項２または３に記載の警報器。
【請求項５】
前記音声出力部は、居住者が音声を発生することを促す音声データとして、前記複数の言語による音声データ出力する請求項４に記載の警報器。
【発明の詳細な説明】
【技術分野】
【０００１】
本発明は警報器に関する。
【背景技術】
【０００２】
従来から、警報器の一例として、監視領域の異常、例えば火災を検出して火災警報音を鳴動する火災警報器が利用されており、とくに戸建の住宅に適している。このような火災警報器では、火災警報音として、従来はブザー音が用いられていたが、住居者が内容を理解しやすいように、近年は音声を利用する傾向が高まっている（例えば、特許文献１参照）。
【先行技術文献】
【特許文献】
【０００３】
【特許文献１】特開平０５−０９２８９２号公報
【発明の概要】
【発明が解決しようとする課題】
【０００４】
近年では、国内における外国人居住者が年々増加しており、このため音声出力する言語として日本語以外にも英語や中国語、韓国語などの居住者の使用言語で音声出力することが要望されている。
【０００５】
この発明は、居住者（ユーザー）の使用する言語を自動的に認識して、使用言語による音声出力を可能とすることを目的とする。
【課題を解決するための手段】
【０００６】
本発明に係わる警報器は、監視領域の異常を検出する異常検出部と、複数の言語による音声データが記憶され、そのいずれかの言語の音声を出力する音声出力部と、居住者の音声を入力して居住者の使用言語を認識する音声認識部と、前記異常検出手段が監視領域の異常を検出したときに、音声認識部が認識した居住者の使用言語の音声データを音声出力部から出力させる制御部とを備えたものである。
【０００７】
また、音声認識部は、警報器に電源が投入されたときに居住者の使用言語を認識する動作を行うものである。
【０００８】
また、音声出力部による音声出力を停止する音声停止スイッチを備え、音声認識部は音声停止スイッチが、所定の操作をされたときに、居住者の使用言語を認識する動作を行うものである。
【０００９】
また、警報器に電源が投入されたとき及び音声停止スイッチが所定の操作をされたときに、音声出力部は、居住者が音声を発生することを促す音声データを出力するものである。
【００１０】
また、音声出力部は、居住者が音声を発生することを促す音声データとして、複数の言語による音声データ出力するものである。
【発明の効果】
【００１１】
本発明においては、居住者（ユーザー）の音声を入力して居住者の使用する言語を自動的に認識する。このため、居住者は、ディップスイッチ等により使用言語の設定をする必要がなくなる。したがって、居住者に手間をかけさせることなく、監視領域の異常を検出したときに居住者の使用言語による音声を出力することができる。
【００１２】
また、警報器に電源が投入されたときに、居住者の使用する言語を認識する動作を行うため、住居に警報器を設置するときに使用言語が設定でき、居住者に手間をかけさせることなく設定が行え、持ち家など、居住者が固定された住居に設置する場合に都合がよい。
【００１３】
また、音声停止スイッチが所定の操作をされたときに、居住者の使用する言語を自動的に認識することができるので、賃貸住宅など、居住者が頻繁に変わる住居に設置する場合に都合がよい。
【００１４】
また、居住者の使用する言語を自動的に認識する動作を行う前に、居住者に音声を発することを促す音声を出力するため、居住者による音声の入力し忘れがなくなる。さらに、音声を発することを促す音声データとして複数の言語による音声データを出力するため、日本語に不自由な外国人にも不都合なく音声の入力し忘れがなくなる。
【図面の簡単な説明】
【００１５】
【図１】本実施の形態に係わる火災警報器の内部回路を示す回路構成図である。
【図２】本実施の形態に係わる火災警報器のメイン動作を示すフローチャートである。
【図３】本実施の形態に係わる火災警報器の使用言語認識動作を示すフローチャートである。
【図４】本実施の形態に係わる火災警報器の火災監視動作を示すフローチャートである。
【図５】本実施の形態に係わる火災警報器の音声停止スイッチ入力判定動作を示すフローチャートである。
【図６】本実施の形態に係わる火災警報器の試験動作を示すフローチャートである。
【図７】本実施の形態に係わる火災警報器の試験結果出力動作を示すフローチャートである。
【図８】本実施の形態に係わる火災警報器の監視結果出力動作を示すフローチャートである。
【発明を実施するための形態】
【００１６】
実施の形態１
警報器には、火災警報器やガス漏れ警報器等様々のものが存在する。また、火災警報器にも、発光素子及び受光素子によって煙を検出する火災警報器、感熱素子によって熱を検出する火災警報器、及び焦電素子により炎を検出する火災警報器等、種々の火災警報器が存在する。本実施の形態では、感熱素子であるサーミスタによって熱を検出する火災警報器に本発明を実施した場合について説明する。
【００１７】
図１は火災警報器の内部回路を示す回路構成図である。この図１を用いて、本実施の形態に係わる火災警報器について説明する。
【００１８】
火災警報器は、火災検出部５、制御部であるマイクロコンピュータ１０（以下、マイコン１０と呼ぶ）、音声認識部１７、音声出力部１９、及び電源１等から構成されている。
【００１９】
（マイコン）
マイコン１０は、各種フラグを格納する記憶部１１と、タイマ部１２と、各種データを格納するデータ部１３とを備え、図示しないＣＰＵにより、火災警報器の動作を制御する。
【００２０】
記憶部１１は、例えばＥＥＰＲＯＭなどの不揮発性メモリで構成される。記憶部１１は、音声認識部（後述する）からの信号によってセットする日本語フラグ１１ａ、英語フラグ１１ｂ、中国語フラグ１１ｃ、韓国語フラグ１１ｄと、火災を検出したときセットする火災フラグ１１ｅと、試験結果のための試験フラグ１１ｆと、火災音声停止中にセットする火災音声停止フラグ１１ｇを備える。
【００２１】
タイマ部１２は、５分間を計る計時装置であり、火災警報を再度行うための時間として、音声停止されてから５分間を計時する。
【００２２】
データ部１３は、例えばＥＥＰＲＯＭなどの不揮発性メモリで構成される。データ部１３は、火災警報や試験結果などを音声出力するときに使用する各国言語データである日本語音声データ１３ａ、英語音声データ１３ｂ、中国語音声データ１３ｃ、韓国語音声データ１３ｄを備える。
【００２３】
（電源）
例えばリチウム電池である電源１は、定電圧回路４を介してマイコン１０などに常時電力を供給する。定電圧回路４を介することにより、マイコン１０に安定した電力供給が可能となっている。なお、電源１は必ずしも電池である必要はなく、外部から商用電源を受電して平滑したものなどを用いても良い。
【００２４】
（火災検出部）
火災検出部５は、サーミスタ６および抵抗７等から構成されている、サーミスタ６及び抵抗７は直列に接続され、これらの両端には定電圧回路４を介して電源１から定電圧が印加されている。マイコン１０には、サーミスタ６と抵抗７とによって抵抗比分割した電圧が入力されている。サーミスタ６は温度により抵抗値が変化するため、火災時にサーミスタ６が暖められると、サーミスタ６と抵抗７との間の電圧値が変化する。マイコン１０は、このサーミスタ６と抵抗７との間の電圧値が例えば火災レベル以上になると、火災が発生したと判断する。つまり、マイコン１０が備えた記憶部１１の火災フラグ１１ｅをセットする。
【００２５】
（音声認識部）
音声認識部１７は、マイク１８で電気信号に変換された居住者が発した音声信号を音声データに変換する。また、音声認識部１７は、例えば、カーナビゲーションシステムで利用されている目的地を音声入力により選択する音声認識方法などの技術のように、変換した音声データを基準となる音声データを比較することで、居住者（ユーザー）が発した音声が何語かを認識して、認識した言語（使用言語）のフラグ（日本語フラグ等）１１ａ〜１１ｄをセットする信号をマイコン１０に出力する。
【００２６】
音声認識の方法としては、上記とは別に、例えば、「日本人ならば声を入力してください。」などのメッセージを出力し、そのメッセージに続いて、居住者から音声が発せられたか否かを監視することを、各言語のメッセージを出力してそれぞれ行うことで、居住者の使用言語を特定する方法などでも良い。また、これらを組み合わせた方法を用いても良い。
【００２７】
（音声出力部）
本実施の形態１に係わる火災警報器には、音声を出力する音声出力部１９が設けられている。音声出力部１９は、増幅部１５及びスピーカ１６及びマイコン１０が備えるデータ部１３及びスイッチ１４から構成されている。マイコン１０は、音声出力部１９を介して、記憶部１１の認識した言語のフラグ１１ａ〜１１ｄに従い、データ部１３の言語音声データ（日本語音声データ等）１３ａ〜１３ｄから、必要なデータを用いて音声を出力して、火災警報や試験結果を居住者に知らせる。
【００２８】
スイッチ１４は、通常時開放であり、音声を出力するときにマイコン１０がスイッチングさせて短絡させることで、増幅部１５に定電圧回路４を介して電源１から電源を供給して、増幅部１５を励起する。これにより、音声出力時以外に音声出力部１９で電力を消費しないため低消費電力化を図っている。
【００２９】
（音声停止スイッチ）
火災警報器は、音声停止スイッチ８を備えていて、火災警報の音声鳴動中に音声停止スイッチ８を操作すると音声が停止する。また、監視時（火災検出中以外）には、音声停止スイッチ８は、試験スイッチとして、あるいは所定の操作により居住者の使用言語を認識する動作をさせるスイッチとしての機能も兼ね備える。
【００３０】
音声停止スイッチ８は、抵抗９と直列に接続され、これらの両端には定電圧回路４を介して電源１から定電圧が印加されている。スイッチ状態の判断は、音声停止スイッチ８と抵抗９との間の電圧値をマイコン１０が監視することにより行われる。ここで、音声停止スイッチ８が操作されていない状態（開放状態）では、マイコン１０には、抵抗９を介して定電圧が接続（プルアップ）されるため、定電圧が入力される。この状態をマイコン１０は音声停止スイッチスイッチ８が操作されていないと認識する。また、音声停止スイッチ８が操作された状態（短絡状態）では、マイコン１０には、電源１のグランドが音声停止スイッチ８を介して接続されるため、グランド電位が入力される。この状態をマイコン１０は、音声停止スイッチ８が操作されたと判断する。
【００３１】
（試験部）
火災警報器は、試験機能を備えていて、監視時に音声停止スイッチ８が操作されたときには、マイコン１０が備えた記憶部１１の試験フラグ１１ｆをセットしてから、試験を行う。ここで実施の形態１の試験としては、断線監視試験及び電源低下監視試験を行っている。
【００３２】
断線監視試験は、サーミスタ６と抵抗７との間の電圧値をマイコン１０が監視することにより行われる。サーミスタ６が断線すると、マイコン１０には、電源１のグランドが抵抗７を介して接続（プルダウン）されるため、グランド電位が入力される。この状態をマイコン１０は、サーミスタ６が断線したと判断して、マイコン１０が備えた記憶部１１の試験フラグ１１ｆをクリアする。
【００３３】
なお、本実施例ではサーミスタ６の断線を検出しているが、サーミスタ６の劣化を判定しても良い。サーミスタの６の劣化判定は、例えばサーミスタ６と抵抗７との間の電圧値が所定の範囲となったときに、サーミスタ６が劣化したと判断することができる。
【００３４】
電圧低下監視試験は、電圧監視回路２により、スイッチ３を介して、電源１の電圧値が所定の値以下になっていないかを試験する。電圧監視回路２は、電源１の電圧値が所定の値以下になった場合、電源１の電圧低下をマイコン１０に通知する。通知を受けるとマイコン１０は、マイコン１０が備えた記憶部１１の試験フラグ１１ｆをクリアする。
【００３５】
スイッチ３は、通常時開放であり、電圧低下監視試験を行うときに、マイコン１０がスイッチングさせて短絡させることで、電圧監視回路２に電源１を接続して電圧低下監視試験を行う。これにより電圧低下監視試験時以外に電圧監視回路２で電力を消費しないため、低消費電力化を図っている。
【００３６】
（動作）
続いて、火災警報器の動作について説明する。
図２は、本実施の形態１に係る火災警報器のメイン動作を示すフローチャートである。
また、図３〜図８は、図２に示す各動作を示すフローチャートである。
【００３７】
まず、図２を用いて、火災警報器のメイン動作について説明する。電源１が接続されることで電力供給されると（ステップＳ１）、マイコン１０は、記憶部１１内の全フラグをクリアしステップＳ３に進む（ステップＳ２）。ステップＳ３では、マイコン１０は、タイマ部１２の５分タイマ１２ａをクリアする。ステップＳ４では、音声出力のデフォルト設定（初期設定）を日本語としてとして記憶部１１の日本語フラグ１１ａをセットする。ステップＳ５では、使用言語の認識を実施する（詳細は図３を用いて後述する）。ステップＳ６では、火災の監視を実施する（詳細は図４を用いて後述する）。ステップＳ７では、音声停止スイッチの入力判定を実施する（詳細は図５を用いて後述する）。ステップＳ８では、試験を実施する（詳細は図６を用いて後述する）。ステップＳ９では、ステップＳ８に基づき、試験結果（試験正常）を出力するかを判定する。（詳細は図７を用いて後述する）。ステップＳ１０では、ステップＳ６に基づいて、監視結果（火災警報）を出力するかを判定する（詳細は図８を用いて後述する）。ステップＳ１０終了後、ステップＳ６に戻り、再び火災の監視や試験を行う。つまり、火災警報器は、所定時間毎に火災の監視等を行っている。
【００３８】
図３を用いて、図２のステップＳ５に示す使用言語認識動作の詳細について説明する。マイコン１０は、使用言語設定の開始を居住者に知らしめるため日本語、英語、中国語、韓国語による使用言語設定の開始音声を順番に音声出力部１９を介して音声出力する（ステップＳ５０１）。ここで、開始音声は、例えば、「日本人ならばこんにちはと言ってください。」、「アメリカ人であればハローと言ってください。」・・・などのように、特定の言葉（単語）の発音を促す音声を各言語で順番に音声出力するようにすれば、音声認識の確実性が上がる。
【００３９】
マイコン１０は、音声認識部１７を介して、居住者の音声が入力しているか否かを判断する（ステップＳ５０２）。音声が入力していないと判断した場合、ステップＳ６の火災監視動作に進む。音声が入力していると判断した場合、音声認識部１７が使用言語を認識して送信する信号により、マイコン１０が備えた記憶部１１の認識した言語のフラグ１１ａ〜１１ｄのいずれかをセットして（ステップＳ５０３）、認識した言語以外のフラグ１１ａ〜１１ｄをクリアする（ステップＳ５０４）。
【００４０】
その後に、認識した言語のフラグ１１ａ〜１１ｄの言語音声データ１３ａ〜１３ｄによる、使用言語設定の確認音声を音声出力部１９を介して音声出力する（ステップＳ５０５）。例えば、認識した居住者が発した音声が英語であった場合は、英語にて設定確認を知らせる音声出力を行い、居住者に英語にて警報を行うように設定されたことを知らせる。
【００４１】
図４を用いて、図２のステップＳ６に示す火災監視動作の詳細について説明する。マイコン１０は、サーミスタ６と抵抗７との間の電圧値に基づき、火災が発生したか否かを判断する（ステップＳ６０１）。火災が発生していないと判断した場合、マイコン１０が備えた記憶部１１の火災フラグ１１ｅをクリアし（ステップＳ６０３）、ステップＳ６０８の５分タイマクリアに進む。
【００４２】
火災が発生していると判断した場合、マイコン１０が備えた記憶部１１の火災フラグ１１ｅをセットして（ステップＳ６０２）、マイコン１０が備えた記憶部１１の火災音声停止フラグ１１ｇがセットされているか否かの判定を行う（ステップＳ６０４）。火災音声停止フラグ１１ｇがセットされてない場合には、ステップＳ６０８の５分タイマクリアに進む。
【００４３】
火災音声停止フラグ１１ｇがセットされている場合には、マイコン１０が備えたタイマ部１２の５分タイマ１２ａがカウント中か否かを判断する（ステップＳ６０４）。５分タイマ１２ａがカウント中でなければ、５分タイマ１２ａのカウントを開始する（ステップＳ６０６）。５分タイマ１２ａがカウント中であれば、５分タイマがタイムアップ（カウント終了）しているか否かを判断する（ステップＳ６０７）。
【００４４】
５分タイマ１２ａがタイムアップしている場合には、火災音声停止スイッチ８が操作（火災音声が停止）されてから、５分経過しているため、再度火災音声を鳴動するために、５分タイマ１２ａをクリアして（ステップＳ６０８）、火災音声停止フラグ１１ｇをクリアして（ステップＳ６０９）、ステップＳ７の音声停止スイッチ入力判定に進む。
【００４５】
５分タイマ１２ａがタイムアップしていない場合には、火災音声停止スイッチ８が操作（火災音声が停止）されてから、５分経過していないため、そのままステップＳ７の音声停止スイッチ入力判定に進む。
【００４６】
図５を用いて、図２のステップＳ７に示す音声停止スイッチ入力判定動作の詳細について説明する。マイコン１０は、音声停止スイッチ８と抵抗９の間の電圧値に基づき、音声停止スイッチ８が操作されているか否かを判断する（ステップＳ７０１）。
【００４７】
音声停止スイッチ８が操作されていない場合には、ステップＳ８の試験動作に進む。音声停止スイッチ８が操作されている場合には、音声停止スイッチ８の操作が３秒以上連続しているかを判定して（ステップＳ７０２）、音声停止スイッチ８の操作が３秒以上連続している場合には、使用言語認識するための操作がなされたと判断してステップＳ５の使用言語認識動作に進み、使用言語認識動作終了後にステップＳ８の試験に進む。
【００４８】
音声停止スイッチ８の操作が３秒未満の場合には、マイコン１０が備える記憶部１１の火災フラグ１１ｅがセットされているか否かを判断する（ステップＳ７０３）。火災フラグ１１ｅがセットされている場合には、マイコン１０が備える記憶部１１の火災音声停止フラグ１１ｇをセットして（ステップＳ７０４）、ステップＳ８の試験に進む。火災フラグ１１ｅがセットされていない場合には、試験フラグ１１ｆをセットして（ステップＳ７０５）、ステップＳ８の試験に進む。
【００４９】
図６を用いて、図２のステップＳ８に示す試験動作の詳細について説明する。
マイコン１０は、記憶部１１の火災フラグ１１ｅがセットされているか否かを判断する（ステップＳ８０１）。火災フラグ１１ｅがセットされている場合には、マイコン１０が備える記憶部１１の試験フラグ１１ｆをクリアして（ステップＳ８０４）、試験を終了して、ステップＳ９の試験結果出力動作に進む。試験を終了するのは、火災が発生している場合、火災警報を早急に出力する必要があるためである。
【００５０】
火災フラグ１１ｅがセットされていない場合、マイコン１０は、断線監視試験として、サーミスタ６と抵抗７との間の電圧値に基づき、サーミスタ６が断線しているか否かを判断する（ステップＳ８０３）。サーミスタ６が断線していると判断した場合、記憶部１１の試験フラグ１１ｆをクリアし（ステップＳ８０４）、ステップＳ９の試験結果出力動作に進む。サーミスタ６が断線していないと判断した場合、電圧低下監視試験として電源１の電圧が低下しているか否かを判断する（ステップＳ８０５）。
【００５１】
なお、フローチャートには図示していないが、マイコン１０は、スイッチ３を開閉することで電圧低下監視試験の間だけ電圧監視回路２を電源１に接続する。電源１の電圧が低下していると判断した場合、記憶部１１の試験フラグ１１ｆをクリアし（ステップＳ８０４）、ステップＳ９の試験結果出力動作に進む。電源６の電圧が低下していないと判断した場合、記憶部１１の試験フラグ１１ｆをクリアせず、ステップＳ９の試験結果出力動作に進む。
【００５２】
図７を用いて、図２のステップＳ９に示す試験結果出力動作の詳細について説明する。マイコン１０は、記憶部１１の試験フラグ１１ｆがセットされているか否かを判断する（ステップＳ９０１）。試験フラグ１１ｆがセットされていない場合には、ステップＳ１０の監視結果出力動作に進む。
【００５３】
ここで、居住者が、試験を行うために監視時に音声停止スイッチを操作した場合には（ステップＳ７０１〜Ｓ７０４）、試験結果が出力されない（試験音声が鳴動しない）ため、火災警報器が異常であることがわかる。
【００５４】
試験フラグ１１ｆがセットされている場合には、マイコン１０が備える記憶部１１の日本語フラグ１１ａがセットされているか否かを判定して（ステップＳ９０２）、日本語フラグ１１ａがセットされている場合には、試験結果が正常であることを、データ部１３の日本語音声データ１３ａにより、音声出力部１９を介して日本語の試験音声にて音声出力して居住者に知らせる（ステップＳ９０３）。
【００５５】
日本語フラグ１１ａがセットされていない場合には、英語フラグ１１ｂがセットされているか否かを判定する（ステップＳ９０４）。英語フラグ１１ｂがセットされている場合には、試験結果が正常であることを、データ部１３の英語音声データ１３ｂにより、音声出力部１９を介して英語の試験音声にて音声出力して居住者に知らせる（ステップＳ９０５）。
【００５６】
英語フラグ１１ｂがセットされていない場合には、中国語フラグ１１ｃがセットされているか否かを判定する（ステップＳ９０６）中国語フラグ１１ｃがセットされている場合には、試験結果が正常であることを、データ部１３の中国語音声データ１３ｃにより、音声出力部１９を介して中国語の試験音声にて音声出力して居住者に知らせる（ステップＳ９０７）。
【００５７】
中国語フラグ１１ｃがセットされていない場合には、試験が正常であることを、韓国語音声データ１３ｄにより、音声出力部１９を介して韓国語の試験音声にて音声出力して居住者に知らせる（ステップＳ９０８）。
【００５８】
このように、居住者の使用言語により、試験結果が正常であることを知らせた後に、試験フラグ１１ｆをクリアして（ステップＳ９０９）、ステップＳ１０の監視結果出力に進む。なお、フローチャートには図示していないが、マイコン１０は、スイッチ１４を開閉することで音声出力している間だけ、増幅部１５に定電圧回路４を介して電源１から電源を供給する。
【００５９】
図８を用いて、図２のステップＳ１０に示す監視結果出力動作の詳細について説明する。マイコン１０は、記憶部１１の火災フラグ１１ｅがセットされているか否かを判断する（ステップＳ１００１）。火災フラグ１１ｅがセットされていない場合には、ステップＳ６の火災監視動作に戻る。
【００６０】
火災フラグ１１ｅがセットされている場合には、記憶部１１の火災音声停止フラグ１１ｇがセットされているか否かを判断する（ステップＳ１００２）、火災音声停止フラグ１１ｇがセットされている場合には、ステップＳ６の火災監視動作に戻る。すなわち、火災音声停止スイッチ８が操作され、火災音声が停止されているため（ステップＳ７０１〜Ｓ７０４）、火災音声出力を行わない。
【００６１】
火災音声停止フラグ１１ｇがセットされていない場合には、マイコン１０が備える記憶部１１の日本語フラグ１１ａがセットされているか否かを判定して（ステップＳ１００３）、日本語フラグ１１ａがセットされている場合には、火災が発生したことを、データ部１３の日本語音声データ１３ａにより、音声出力部１９を介して日本語の火災音声にて音声出力して火災警報を行い、居住者に知らせる（ステップＳ１００４）。
【００６２】
日本語フラグ１１ａがセットされていない場合には、英語フラグ１１ｂがセットされているか否かを判定する（ステップＳ１００５）。英語フラグ１１ｂがセットされている場合には、火災が発生したことを、データ部１３の英語音声データ１３ｂにより、音声出力部１９を介して英語の火災音声にて音声出力して火災警報を行い、居住者に知らせる（ステップＳ１００６）。
【００６３】
英語フラグ１１ｂがセットされていない場合には、中国語フラグ１１ｃがセットされているか否かを判定する（ステップＳ１００７）。中国語フラグ１１ｃがセットされている場合には、火災が発生したことを、データ部１３の中国語音声データ１３ｃにより、音声出力部１９を介して中国語の火災音声にて音声出力して火災警報を行い、居住者に知らせる（ステップＳ１００８）。
【００６４】
中国語フラグ１１ｃがセットされていない場合には、火災が発生したことを、韓国語音声データ１３ｄにより、音声出力部１９を介して韓国語の試験音声にて音声出力して居住者に知らせる（ステップＳ１００９）。
【００６５】
このように、居住者の使用言語により、火災が発生していることを知らせ、ステップＳ６の火災監視動作に戻る。なお、フローチャートには図示していないが、マイコン１０は、スイッチ１４を開閉することで音声出力している間だけ、増幅部１５に定電圧回路４を介して電源１から電源を供給する。
【００６６】
本発明においては、居住者（ユーザー）の音声を入力して居住者の使用する言語を自動的に認識する。このため、居住者は、ディップスイッチ等により使用言語の設定をする必要がなくなる。したがって、居住者に手間をかけさせることなく、監視領域の異常を検出したときに居住者の使用言語による音声を出力することができる。
【００６７】
また、警報器に電源が投入されたときに、居住者の使用する言語を認識する動作を行うため、住居に警報器を設置するときに使用言語が設定でき、居住者に手間をかけさせることなく設定が行え、持ち家など、居住者が固定された住居に設置する場合に都合がよい。
【００６８】
また、音声停止スイッチが所定の操作をされたときに、居住者の使用する言語を自動的に認識することができるので、賃貸住宅など、居住者が頻繁に変わる住居に設置する場合に都合がよい。
【００６９】
また、居住者の使用する言語を自動的に認識する動作を行う前に、居住者に音声を発することを促す音声を出力するため、居住者による音声の入力し忘れがなくなる。さらに、音声を発することを促す音声データとして複数の言語による音声データを出力するため、日本語に不自由な外国人にも不都合なく音声の入力し忘れがなくなる。
【００７０】
以上、実施の形態１では、内部回路の試験としてサーミスタ６の断線監視試験及び電源１の電圧低下監視試験を行った。しかしながら、これらの試験はあくまでも一例である。例えば内部回路の試験として、スピーカ１６から音声出力されるか否かを試験してもよい。
【００７１】
また、実施の形態１では熱を検出する火災警報器について説明したが、これはあくまでも一例である。例えば、発光素子及び受光素子によって煙を検出する火災警報器に本発明を実施してもよい。試験としては、例えば、受光素子出力レベルを監視する。また、例えば、焦電素子により炎を検出する火災警報器に本発明を実施してもよい。回路の試験としては、例えば、試験光を照射したときの焦電素子の出力レベルを監視する。
【００７２】
また、例えばガス漏れ警報器等、火災警報器以外の警報器に本発明を実施できることは言うまでもない。
【００７３】
また、実施の形態１では、使用言語を認識する動作をさせる音声停止スイッチの所定の動作として、音声停止スイッチを所定時間以上の操作としての３秒以上操作としたが、火災警報を停止する操作と別であれば、例えば、所定時間内における複数回の操作としての５回続けて操作などのようにしても良い。
【００７４】
また、実施の形態１では、規定のタイミング（音声停止スイッチ操作など）で使用言語の認識を行うようにしているが、常時、所定のタイミングで、音声認識部１７により、使用言語の認識を行い、使用頻度が高い言語で音声出力するようにしても良い。
【００７５】
また、実施の形態１では、音声データとして日本語、英語、中国語、韓国語の４ヶ国語としたがこれに限るものではなく、更に多くの複数の国の音声データを用意して音声出力するようにしても良い。
【００７６】
また、実施の形態１では、音声出力を１つの言語で行ったが、例えば日本語と英語で交互に音声出力して、複数の言語で行うようにしても良い。
【符号の説明】
【００７７】
１  電源、２  電圧監視回路、３  スイッチ、４  定電圧回路、５  火災検出部、６  サーミスタ、７  抵抗、８  音声停止スイッチ、９  抵抗、１０  マイコン、１１  記憶部、１２  タイマ部、１３  データ部、１４  スイッチ、１５  増幅部、１６  スピーカ、１７  音声認識部、１８  マイク、１９  音声出力部
【図１】
2010231640.tif 000003
【図２】
2010231640.tif 000004
【図３】
2010231640.tif 000005
【図４】
2010231640.tif 000006
【図５】
2010231640.tif 000007
【図６】
2010231640.tif 000008
【図７】
2010231640.tif 000009
【図８】
2010231640.tif 000010